(57)【要約】【課題】ある期間毎における差水量、もしくは親メータと子メータ間における漏水量を検知することで、次回の検針時に前回の差水量が影響されないようにする。【解決手段】定期総使用量演算手段１８は、記憶手段１６に記憶した第二の水道メータの前回の検針値の総量と、総量演算手段１３が計算した今回の第二の水道メータの検針値の総量とから、前回検針時から今回検針時までの第二の水道メータの検針値の総量の増加量を計算する。定期使用量演算手段１９は、記憶手段１６に記憶した前回の第一の水道メータの検針値と、検針手段１２が検針した今回の第一の水道メータの検針値とから、前回検針時から今回検針時までの第一の水道メータの検針値の増加量を計算する。定期差水量演算手段２０は、定期総使用量演算手段１８が計算した検針値の総量の増加量と定期使用量演算手段１９が計算した検針値の増加量との差分を差水量として計算する。【選択図】図３
2007225361.tif 000002
【特許請求の範囲】
【請求項１】
水道事業者側が管理する第一の通信機能付き水道メータと前記第一の水道メータの下流に配される複数の第二の通信機能付き水道メータとが通信線によって接続され各前記水道メータの検針値を読み出して表示部に表示する集中検針装置において、
前記第一の水道メータおよび前記複数の第二の水道メータを指定された検針日に定期的に検針する検針手段と、
前記検針手段が検針した前記複数の第二の水道メータの検針値の総量を計算する総量演算手段と、
前記総量演算手段が計算した総量を所定の記憶手段に記憶させる総量記憶手段と、
前記検針手段が検針した前記第一の水道メータの検針値を所定の記憶手段に記憶させる検針値記憶手段と、を有することを特徴とする集中検針装置。
【請求項２】
請求項１に記載の集中検針装置であって、
前記記憶手段に記憶した前回の前記第二の水道メータの検針値の総量と、前記総量演算手段が計算した今回の前記第二の水道メータの検針値の総量とから、前回検針時から今回検針時までの前記第二の水道メータの検針値の総量の増加量を計算する定期総使用量演算手段と、
前記記憶手段に記憶した前回の前記第一の水道メータの検針値と、前記定期検針手段が検針した今回の前記第一の水道メータの検針値とから、前回検針時から今回検針時までの前記第一の水道メータの検針値の増加量を計算する定期使用量演算手段と、
前記定期総使用量演算手段が計算した検針値の総量の増加量と前記定期使用量演算手段が計算した検針値の増加量との差分を差水量として計算する定期差水量演算手段と、
前記定期差水量演算手段が計算した差水量を所定の記憶手段に記憶させる定期差水量記憶手段と、を有することを特徴とする集中検針装置。
【請求項３】
請求項１に記載の集中検針装置であって、
オペレータからの入力を受け付ける入力手段と、
前記記憶手段に記憶した前記第二の水道メータの検針値の総量と、前記入力手段への検針を指示する入力に応じて前記検針手段が検針し前記総量演算手段が計算した今回の前記第二の水道メータの検針値の総量とから、前回検針時から今回検針時までの前記第二の水道メータの検針値の総量の増加量を計算する随時総使用量演算手段と、
前記記憶手段に記憶した前回の前記第一の水道メータの検針値と、前記入力手段への検針を指示する入力に応じて前記検針手段が検針した今回の前記第一の水道メータの検針値とから、前回検針時から今回検針時までの前記第一の水道メータの検針値の増加量を計算する随時使用量演算手段と、
前記随時総使用量演算手段が計算した検針値の総量の増加量と前記随時使用量演算手段が計算した検針値の増加量との差分を差水量として計算する随時差水量演算手段と、
前記随時差水量演算手段が計算した差水量を所定の記憶手段に記憶させる随時差水量記憶手段と、を有することを特徴とする集中検針装置。
【請求項４】
請求項２に記載の集中検針装置であって、
オペレータからの入力を受け付ける入力手段を有し、
前記定期差水量記憶手段により前記記憶手段に記憶された差水量を、前記入力手段に入力する所定の操作に応じて前記表示部に表示することを特徴とする集中検針装置。
【請求項５】
請求項３に記載の集中検針装置において、
前記随時差水量記憶手段により前記記憶手段に記憶した差水量を、前記入力手段に入力する所定の操作に応じて前記表示部に表示することを特徴とする集中検針装置。
【請求項６】
請求項２または３に記載の集中検針装置において、
外部機器との通信手段を有し、
前記記憶手段に記憶した差水量が予め設定された差水量上限値を上回った場合、前記通信手段を使用して外部機器に警告を出力することを特徴とする集中検針装置。
【請求項７】
請求項６に記載の集中検針装置であって、
オペレータからの入力を受け付ける入力手段を有し、
前記入力手段を使用して前記差水量上限値の入力設定が可能であることを特徴とする集中検針装置。
【発明の詳細な説明】
【技術分野】
【０００１】
本発明は、集合住宅の各住戸に設置されている水道メータを検針する集中検針装置に関し、より詳細には、水道事業者側が管理する第一の通信機能付き水道メータとその第一の水道メータの下流に配される複数の第二の通信機能付き水道メータとが通信線によって接続される集中検針装置に関する。
【背景技術】
【０００２】
一般的に、複数の住戸を有する集合住宅や施設では、水道事業者側が管理する第一の水道メータ（以下、親メータと称する）があり、親メータの下流に配された複数の第二の水道メータ（以下、子メータと称する）については、集合住宅等の管理となっている。
水道事業者は、親メータの検針値に基づいて集合住宅等の管理者（以下、オーナーと称する）から水道料金の徴収を行う。またオーナーは、各住戸に設置された子メータの検針値に基づいて各住戸から水道料金を徴収している。
【０００３】
集中検針装置は、親メータ及び複数の子メータが各々接続線を介して接続され、親メータ及び子メータで計量したそれぞれの検針値（流量積算値）を集中検針装置の表示手段に表示させることができる。
【０００４】
このような集中検針装置に関し、例えば特許文献１では、集合住宅に水道メータを設置したときの、メータと集中検針盤の受信器との接続間違いや、伝送線の断線、短絡のチェックを容易にした集中検針システムが開示されている。
【特許文献１】特開２００１−３３８３８３号公報
【発明の開示】
【発明が解決しようとする課題】
【０００５】
親メータの検針値と子メータの検針値の合計との差分は、差水量として知られており、この差水量に大きな開きが生じた場合は料金トラブル等の問題が発生する。
従来、上記差水量を調べる手段として、子メータの検針値を各々検針し、その合計を親メータの検針値と照合して調査する方法がある。この場合、一度大きな差水量が発生すると、次回の検針の時にも前回の差水量がそのまま反映されてしまうという問題が生じる。
【０００６】
また、差水量が発生する要因として、親メータと子メータ間における漏水が考えられる。子メータから下流側の漏水は、水道メータ内部に設けられた漏水検知機能により検知することができる。しかしながら親メータと子メータ間では、各住戸の住人が水道を利用することにより親メータにおいて流量が計量されてしまうため、親メータの漏水検知機能で漏水を検知することは困難であった。
また上記特許文献１には、このような差水量による問題や親メータと子メータとの間の漏水に関わる問題等については何ら触れられていない。
【０００７】
本発明は、上述のごとき実情に鑑みてなされたもので、ある期間毎における差水量、もしくは親メータと子メータ間における漏水量を検知することで、次回の検針時に前回の差水量が影響されない集中検針装置を提供することを目的とする。
【課題を解決するための手段】
【０００８】
請求項１の発明は、水道事業者側が管理する第一の通信機能付き水道メータと前記第一の水道メータの下流に配される複数の第二の通信機能付き水道メータとが通信線によって接続され各前記水道メータの検針値を読み出して表示部に表示する集中検針装置において、前記第一の水道メータおよび前記複数の第二の水道メータを指定された検針日に定期的に検針する検針手段と、前記検針手段が検針した前記複数の第二の水道メータの検針値の総量を計算する総量演算手段と、前記総量演算手段が計算した総量を所定の記憶手段に記憶させる総量記憶手段と、前記検針手段が検針した前記第一の水道メータの検針値を所定の記憶手段に記憶させる検針値記憶手段と、を有することを特徴としたものである。
【０００９】
請求項２の発明は、請求項１に記載の集中検針装置であって、前記記憶手段に記憶した前回の前記第二の水道メータの検針値の総量と、前記総量演算手段が計算した今回の前記第二の水道メータの検針値の総量とから、前回検針時から今回検針時までの前記第二の水道メータの検針値の総量の増加量を計算する定期総使用量演算手段と、前記記憶手段に記憶した前回の前記第一の水道メータの検針値と、前記定期検針手段が検針した今回の前記第一の水道メータの検針値とから、前回検針時から今回検針時までの前記第一の水道メータの検針値の増加量を計算する定期使用量演算手段と、前記定期総使用量演算手段が計算した検針値の総量の増加量と前記定期使用量演算手段が計算した検針値の増加量との差分を差水量として計算する定期差水量演算手段と、前記定期差水量演算手段が計算した差水量を所定の記憶手段に記憶させる定期差水量記憶手段と、を有することを特徴としたものである。
【００１０】
請求項３の発明は、請求項１に記載の集中検針装置であって、オペレータからの入力を受け付ける入力手段と、前記記憶手段に記憶した前記第二の水道メータの検針値の総量と、前記入力手段への検針を指示する入力に応じて前記検針手段が検針し前記総量演算手段が計算した今回の前記第二の水道メータの検針値の総量とから、前回検針時から今回検針時までの前記第二の水道メータの検針値の総量の増加量を計算する随時総使用量演算手段と、前記記憶手段に記憶した前回の前記第一の水道メータの検針値と、前記入力手段への検針を指示する入力に応じて前記検針手段が検針した今回の前記第一の水道メータの検針値とから、前回検針時から今回検針時までの前記第一の水道メータの検針値の増加量を計算する随時使用量演算手段と、前記随時総使用量演算手段が計算した検針値の総量の増加量と前記随時使用量演算手段が計算した検針値の増加量との差分を差水量として計算する随時差水量演算手段と、前記随時差水量演算手段が計算した差水量を所定の記憶手段に記憶させる随時差水量記憶手段と、を有することを特徴としたものである。
【００１１】
請求項４の発明は、請求項２に記載の集中検針装置であって、オペレータからの入力を受け付ける入力手段を有し、前記定期差水量記憶手段により前記記憶手段に記憶された差水量を、前記入力手段に入力する所定の操作に応じて前記表示部に表示することを特徴としたものである。
【００１２】
請求項５の発明は、請求項３に記載の集中検針装置において、前記随時差水量記憶手段により前記記憶手段に記憶した差水量を、前記入力手段に入力する所定の操作に応じて前記表示部に表示することを特徴としたものである。
【００１３】
請求項６の発明は、請求項２または３に記載の集中検針装置において、外部機器との通信手段を有し、前記記憶手段に記憶した差水量が予め設定された差水量上限値を上回った場合、前記通信手段を使用して外部機器に警告を出力することを特徴としたものである。
【００１４】
請求項７の発明は、請求項６に記載の集中検針装置であって、オペレータからの入力を受け付ける入力手段を有し、前記入力手段を使用して前記差水量上限値の入力設定が可能であることを特徴としたものである。
【発明の効果】
【００１５】
本発明によれば、ある期間毎における差水量、もしくは親メータと子メータ間における漏水量を検知し表示できるようにしたので、次回の検針時に前回の差水量が影響されないようにすることができる。
【００１６】
さらに本発明によれば、差水量が所定の差水量上限値を上回った場合、外部機器に対して警告を出力できるようにしたので、オペレータが集中検針装置まで出向くことなく遠隔値においても差水量の異常を確認することができるようになる。
【発明を実施するための最良の形態】
【００１７】
図１は、本発明の集中検針装置を使用した集中検針システムの構成例を示すブロック図である。集中検針装置１０には、親メータ３１及び複数の子メータ３２ａ〜３２ｎが各々接続線Ｌを介して接続されている。そして親メータ３１及び子メータ３２ａ〜３２ｎで計量したそれぞれの検針値（流量積算値）を集中検針装置１０に転送して、集中検針装置１０に表示させることができる。なお親メータ３１は、水道事業者側が管理する本発明の第一の水道メータに該当し、複数の子メータ３２ａ〜３２ｎは、本発明の第二の水道メータに該当する。
【００１８】
図２は、本発明の集中検針装置の一実施例を示したブロック図である。集中検針装置１０は、時計1１と、時計１１からの指示に基づき接続されているメータ（親メータ３１、子メータ３２ａ〜３２ｎ）の検針値を定期的に読み出す検針手段１２と、複数の子メータ３２ａ〜３２ｎの検針値の総量を計算する総量演算手段１３と、検針値等のデータを記憶する記憶部１６と、検針手段１２が定期的に検針した親メータ３１の検針値を記憶部１６に記憶させる検針値記憶手段１４と、総量演算手段１３が計算した子メータ３２ａ〜３２ｎの検針値の総量を記憶部１６に記憶させる総量記憶手段１５と、データや情報等を表示する表示部１７とを有している。
【００１９】
集中検針装置１０は、親メータ３１と子メータ３２ａ〜３２ｎとの間で通信可能に接続され、親メータ３１と子メータ３２ａ〜３２ｎとを定期的に検針するように設定される。
例えば集中検針装置１０が定期的に行う検針の間隔を１ヶ月と設定した場合に、集中検針装置１０の検針手段１２は、１ヶ月毎に検針を実施する。
【００２０】
そして検針手段１２が検針した親メータ３１の検針値は、検針が行われるごとに検針値記憶手段１４により記憶部１６に記憶される。また検針手段１２が検針した複数の子メータ３２ａ〜３２ｎの検針値は、総量演算手段１３でその総量が計算され、検針が行われるごとに総量記憶手段１５により記憶部１６に記憶される。
【００２１】
記憶部１６に記憶された親メータ３１の検針値と、複数の子メータ３２ａ〜３２ｎの検針値の総量とは、表示部１７に表示させることができる。これにより、親メータ３１と子メータ３２ａ〜３２ｎとの積算値の差水量を表示部１７から判別することができる。そして、前回の検針時の積算値と今回の検診時の積算値との差分（増加量）を、親メータ３１と子メータ３２ａ〜３２ｎとの間で比較することにより、前回検針から今回検針までの差水量を判断することができ、また漏水の可能性を判断することができる。
このような構成を利用して、下記の実施例のような差水算出機能を有する集中検針装置を構成することができる。
【００２２】
図３は、本発明の集中検針装置の他の実施例を示すブロック図である。集中検針装置１０は、時計1１と、時計１１からの指示に基づき接続されているメータ（親メータ３１、子メータ３２ａ〜３２ｎ）の検針値を定期的に読み出す検針手段１２と、複数の子メータ３２ａ〜３２ｎの検針値の総量を計算する総量演算手段１３と、検針値等のデータを記憶する記憶部１６と、検針手段１２が定期的に検針した親メータ３１の検針値を記憶部１６に記憶させる検針値記憶手段１４と、総量演算手段１３が計算した子メータ３２ａ〜３２ｎの検針値の総量を記憶部１６に記憶させる総量記憶手段１５と、データや情報等を表示する表示部１７とを有している。
【００２３】
そして集中検針装置１０には、さらに定期総使用量演算手段１８、定期使用量演算手段１９、定期差水量演算手段２０、定期差水量記憶手段２１が設けられている。
定期総使用量演算手段１８は、記憶部１６に記憶された複数の子メータ３２ａ〜３２ｎの前回の検針値の総量と、新たに総量演算手段１３が計算した複数の子メータ３２ａ〜３２ｎの今回の検針値の総量との差分（増加量）を計算し、前回検針時から今回検針時までの子メータ３２ａ〜３２ｎの使用量を得る。
また定期使用量演算手段１９は、記憶部１６に記憶された親メータ３１の前回の検針値と、検針手段１２により検針した親メータ３１の今回の検針値との差分（増加量）を計算し、前回検針時から今回検針時までの親メータ３１の使用量を得る。
【００２４】
定期差水量演算手段２０は、定期総使用量演算手段１８で計算した子メータ３２ａ〜３２ｎの総使用量と、定期使用量演算手段１９で計算した親メータ３１の使用量との差分、すなわち差水量を計算する。そして定期差水量記憶手段２１は、定期差水量演算手段２０で計算した差水量を記憶部１６に記憶させる。
【００２５】
上記の集中検針装置１０が定期的に行う検針の間隔を１ヶ月と設定した場合に、集中検針装置１０の検針手段１２は、１ヶ月毎に検針を実施する。そして検針手段１２が検針した親メータ３１の検針値は、検針が行われるごとに検針値記憶手段１４により記憶部１６に記憶される。また検針手段１２が検針した複数の子メータ３２ａ〜３２ｎの検針値は、総量演算手段１３でその総量が計算され、検針が行われるごとに総量記憶手段１５により記憶部１６に記憶される。
【００２６】
定期総使用量演算手段１８は、上記の如く１ヶ月毎に検針を実施した場合、１ヶ月間の子メータ３２ａ〜３２ｎの検針値の総量の差分（増加分）を計算する。１ヶ月前の総量が例えば１００ｍ３で、その１ヶ月後の総量が例えば１３０ｍ３の場合、子メータ３２ａ〜３２ｎが１ヶ月間に使用した総量は３０ｍ３となる。
【００２７】
同様に、定期使用量演算手段１９は、１ヶ月間の親メータ３１の検針値の差分（増加分）を計算する。１ヶ月前の親メータ３１の検針値が例えば１００ｍ３で、その１ヶ月後の検針値が例えば１３５ｍ３の場合、親メータ３１が１ヶ月間に使用した検針値は３５ｍ３となる。
そして定期差水量演算手段２０は、定期総使用量演算手段１８が計算した３０ｍ３と、定期使用量演算手段１９が計算した３５ｍ３との差分をとって、５ｍ３の差水量を得る。すなわちこの場合は、親メータ３１と子メータ３２ａ〜３２ｎとの間の差水量もしくは漏水が１ヶ月間で５ｍ３発生したことになる。
【００２８】
また本実施例における集中検針装置１０は、釦スイッチ部２２と入力手段２３とを有しており、釦スイッチ部２２に対するオペレータの操作を入力手段２３で受け付けることができる。そして釦スイッチ部２２をオペレータが操作することによって、記憶部１６に記憶されている差水量を表示部１７に表示させることができる。
【００２９】
また本実施例における集中検針装置は、外部機器２５との通信を可能とする通信手段２４を有している。そして記憶部１６に記憶した差水量と、所定の差水量上限値とを比較し、差水量が差水量上限値を上回った場合には、所定の外部機器２５に対して通信手段２４を介して警告を出力させることができる。これによりオペレータが集中検針装置１０まで出向くことなく、遠隔値においても差水量の異常を確認することができるようになる。ここでは上記所定の差水量上限値は、予め定められた所定値であってもよく、入力操作に応じて適宜設定されたものであってもよい。
【００３０】
図４は、本発明の集中検針装置の更に他の実施例を示すブロック図である。集中検針装置１０は、時計1１と、時計１１からの指示に基づき接続されているメータ（親メータ３１、子メータ３２ａ〜３２ｎ）の検針値を読み出す検針手段１２と、複数の子メータ３２ａ〜３２ｎの検針値の総量を計算する総量演算手段１３と、検針値等のデータを記憶する記憶部１６と、検針手段１２が検針した親メータ３１の検針値を記憶部１６に記憶させる検針値記憶手段１４と、総量演算手段１３が計算した子メータ３２ａ〜３２ｎの検針値の総量を記憶部１６に記憶させる総量記憶手段１５と、データや情報等を表示する表示部１７とを有している。
【００３１】
そして集中検針装置１０には、さらに随時総使用量演算手段２６、随時使用量演算手段２７、随時差水量演算手段２８、随時差水量記憶手段２９、釦スイッチ部２２、および入力手段２３を有している。ここでは釦スイッチ部２２に対するオペレータの操作を入力手段２３で受け付けることができる。
【００３２】
そして釦スイッチ部２２に対して検針を指示する所定の操作が行われたときに、検針手段１２は、親メータ３１及び子メータ３２ａ〜３２ｂの検針を随時実行する。
随時総使用量演算手段２６は、記憶部１６に記憶されている複数の子メータ３２ａ〜３２ｎの前回の検針値の総量と、オペレータの操作に従って新たに検針され、総量演算手段１３が計算した複数の子メータ３２ａ〜３２ｎの今回の検針値の総量との差分（増加量）を計算し、前回検針時から今回検針時までの子メータ３２ａ〜３２ｎの使用量を得る。
また随時使用量演算手段２７は、記憶部１６に記憶された親メータ３１の前回の検針値と、オペレータの操作に従って新たに検針手段１２により検針された親メータ３１の今回の検針値との差分（増加量）を計算し、前回検針時から今回検針時までの親メータ３１の使用量を得る。
【００３３】
随時差水量演算手段２８は、随時総使用量演算手段２６で計算した子メータ３２ａ〜３２ｎの総使用量と、随時使用量演算手段２７で計算した親メータ３１の使用量との差分、すなわち差水量を計算する。そして随時差水量記憶手段２９は、随時差水量演算手段２８で計算した差水量を記憶部１６に記憶させる。
【００３４】
上記の集中検針装置１０が、例えば１５日前に検針を行っていて、そのときの子メータ３２ａ〜３２ｎの検針値の総量が例えば１００ｍ３であって、今回オペレータの操作に従って実行した子メータ３２ａ〜３２ｎの検針値が例えば１３０ｍ３である場合、随時総使用量演算手段２６は、前回と今回の検針値の総量の差分から３０ｍ３を算出する。すなわち子メータ３２ａ〜３２ｎが１５日間に使用した総量は３０ｍ３となる。
【００３５】
同様に、随時使用量演算手段２７は、１５日間の親メータ３１の検針値の差分（増加分）を計算する。１５日前の親メータ３１の検針値が例えば１００ｍ３で、オペレタータの操作に従う今回の検針値が例えば１３５ｍ３の場合、親メータ３１が１５日間に使用した検針値は３５ｍ３となる。
そして随時差水量演算手段２８は、随時総使用量演算手段２６が計算した３０ｍ３と、随時使用量演算手段２７が計算した３５ｍ３との差分をとって、５ｍ３の差水量を得る。すなわちこの場合は、親メータ３１と子メータ３２ａ〜３２ｎとの間の差水量もしくは漏水が１５日間で５ｍ３発生したことになる。
【００３６】
また本実施例における集中検針装置１０では、釦スイッチ部２２をオペレータが操作することによって、記憶部１６に記憶されている差水量を表示部１７に表示させることができる。
【００３７】
また本実施例における集中検針装置１０は、外部機器２５との通信を可能とする通信手段２４を有している。そして記憶部１６に記憶した差水量と、所定の差水量上限値とを比較し、差水量が差水量上限値を上回った場合には、所定の外部機器２５に対して通信手段２４を介して警告を出力させることができる。これによりオペレータが集中検針装置まで出向くことなく、遠隔値においても差水量の異常を確認することができるようになる。ここでは上記所定の差水量上限値は、予め定められた所定値であってもよく、入力操作に応じて適宜設定されたものであってもよい。
【図面の簡単な説明】
【００３８】
【図１】本発明の集中検針装置を使用した集中検針システムの構成例を示すブロック図である。
【図２】本発明の集中検針装置の一実施例を示したブロック図である。
【図３】本発明の集中検針装置の他の実施例を示すブロック図である。
【図４】本発明の集中検針装置の更に他の実施例を示すブロック図である。
【符号の説明】
【００３９】
１０…集中検針装置、１１…時計、１２…検針手段、１３…総量演算手段、１４…検針値記憶手段、１５…総量記憶手段、１６…記憶部、１７…表示部、１８…定期総使用量演算手段、１９…定期使用量演算手段、２０…定期差水量演算手段、２１…定期差水量記憶手段、２２…釦スイッチ部、２３…入力手段、２４…通信手段、２５…外部機器、２６…随時総使用量演算手段、２７…随時使用量演算手段、２８…随時差水量演算手段、２９…随時差水量記憶手段、３１…親メータ、３２ａ〜３２ｎ…子メータ。
【図１】
2007225361.tif 000003
【図２】
2007225361.tif 000004
【図３】
2007225361.tif 000005
【図４】
2007225361.tif 000006